(57)【要約】      （修正有）【課題】キーロック状態における画面表示情報をユーザーが選択することができる携帯通信端末、その制御方法、及びプログラムを提供する。【解決手段】携帯通信端末１００は、キー操作を無効とするキーロック機能を備える携帯通信端末であって、情報を入力するためのキー入力部１と、入力された情報２１を表示する表示部３と、入力された情報２１を記憶する記憶部２と、キーロック機能が実行されているときに、記憶部２に記憶されている情報２１を表示部３に表示させる制御部４と、を有する。【選択図】図１
2010187228.tif 000002
【特許請求の範囲】
【請求項１】
キー操作を無効とするキーロック機能を備える携帯通信端末であって、
情報を入力するためのキー入力部と、
入力された前記情報を表示する表示部と、
入力された前記情報を記憶する記憶部と、
前記キーロック機能が実行されているときに、前記記憶部に記憶されている前記情報を前記表示部に表示させる制御部と、を有する携帯通信端末。
【請求項２】
前記記憶部は、入力された前記情報を複数記憶することを特徴とする請求項１に記載の携帯通信端末。
【請求項３】
前記制御部は、前記記憶部に記憶されている複数の前記情報のうち、任意の情報を前記表示部に表示させることを特徴とする請求項２に記載の携帯通信端末。
【請求項４】
前記制御部は、前記記憶部に記憶されている複数の前記情報を順次、又はランダムに前記表示部に表示させることを特徴とする請求項２に記載の携帯通信端末。
【請求項５】
前記情報は、ユーザーの氏名、及びキーロック機能を解除するための暗証番号を想起させる文字列のうちの少なくとも１つ以上を含むことを特徴とする請求項１乃至４のいずれか１項に記載の携帯通信端末。
【請求項６】
キー操作を無効とするキーロック機能を備える携帯通信端末の制御方法であって、
入力された情報を記憶し、
記憶した前記情報を、前記キーロック機能が実行されているときに、前記携帯通信端末の表示部に表示する制御方法。
【請求項７】
前記携帯通信端末の表示部には、記憶した複数の前記情報のうちの任意の情報が表示されることを特徴とする請求項６に記載の制御方法。
【請求項８】
前記携帯通信端末の表示部には、記憶された複数の前記情報が順次、又はランダムに表示されることを特徴とする請求項６に記載の制御方法。
【請求項９】
キー操作を無効とするキーロック機能を備える携帯通信端末に、
入力された情報を記憶させる処理と、
記憶された前記情報を、前記キーロック機能が実行されているときに、前記携帯通信端末の表示部に表示させる処理と、を実行させるプログラム。
【発明の詳細な説明】
【技術分野】
【０００１】
本発明は携帯通信端末、その制御方法、及びプログラムに関し、特に詳しくはキーロック機能を備えた携帯通信端末、その制御方法、及びプログラムに関する。
【背景技術】
【０００２】
従来から、携帯電話機等の携帯通信端末の多くには、個人情報を保護するための様々なロック機能が備えられている（例えば、特許文献１、２）。そのうち、キー操作を無効とすることができるロック機能として、キーロック機能が知られている。キーロック機能を備えた携帯電話機では、キーロック機能を実行すると、キー操作が無効となるキーロック状態となる。このようにキーロック状態とすることで、携帯電話機が他者に操作されることを防ぐことができる。
【先行技術文献】
【特許文献】
【０００３】
【特許文献１】特開２００７−２７４２４０号公報
【特許文献２】特開２００８−２３６１８４号公報
【発明の概要】
【発明が解決しようとする課題】
【０００４】
しかしながら、キーロック状態の携帯電話機をユーザーが紛失した場合、これを見つけたり、あるいは拾ったりした他者が、誰の携帯電話機であるかを容易に判別することができない、といった問題がある。例えば、親戚縁者の集まりの後に置き忘れられた携帯電話機を見つけても、この携帯電話機がキーロック状態であると持ち主が誰であるかを判別できないため、ユーザーへ連絡することができない。このように、キーロック状態の携帯電話機は、他者がキー操作できないために生じる不都合がある。
【０００５】
本発明は、上記のような問題点を解決するためになされたものであり、キーロック状態における画面表示情報をユーザーが選択することができる携帯通信端末、その制御方法、及びプログラムを提供することを目的とする。
【課題を解決するための手段】
【０００６】
本発明の第１の態様にかかる携帯通信端末は、キー操作を無効とするキーロック機能を備える携帯通信端末であって、情報を入力するためのキー入力部と、入力された前記情報を表示する表示部と、入力された前記情報を記憶する記憶部と、前記キーロック機能が実行されているときに、前記記憶部に記憶されている前記情報を前記表示部に表示させる制御部と、を有するものである。
【０００７】
また、本発明の第２の態様にかかる携帯通信端末の制御方法は、キー操作を無効とするキーロック機能を備える携帯通信端末の制御方法であって、入力された情報を記憶し、記憶した前記情報を、前記キーロック機能が実行されているときに、前記携帯通信端末の表示部に表示するものである。
【０００８】
また、本発明の第３の態様にかかるプログラムは、キー操作を無効とするキーロック機能を備える携帯通信端末に、入力された情報を記憶させる処理と、記憶された前記情報を、前記キーロック機能が実行されているときに、前記携帯通信端末の表示部に表示させる処理と、を実行させるものである。
【発明の効果】
【０００９】
本発明によれば、キーロック状態における画面表示情報をユーザーが選択することができる携帯通信端末、その制御方法、及びプログラムを提供することができる。
【図面の簡単な説明】
【００１０】
【図１】本実施の形態に係る携帯通信端末の一例である携帯電話機の構成を示すブロック図である。
【図２】本実施の形態に係る携帯電話機の動作を示すフローチャートである。
【図３】本実施の形態の別の実施例に係る携帯電話機の構成を示すブロック図である。
【発明を実施するための形態】
【００１１】
以下、図面を参照して本発明の実施の形態について説明する。説明の明確化のため、以下の記載及び図面は、適宜、省略及び簡略化がなされている。
【００１２】
初めに、本実施の形態に係る携帯通信端末の構成について、図１を用いて説明する。図１は、本実施の形態に係る携帯通信端末の一例である携帯電話機の構成を示すブロック図である。本実施の形態に係る携帯電話機１００は、図１に示すように、キー入力部１と、記憶部２と、表示部３と、制御部４とを備えている。また、携帯電話機１００は、キー入力部１のキー操作を無効とすることができるキーロック機能を備える。
【００１３】
キー入力部１は、文字や数字等の情報２１を入力するために用いられる。キー入力部１は、例えば、テンキーや機能キーなどの各種キーで構成される。キー入力部１のキーをユーザーが操作することにより、携帯電話機１００に文字や数字等の情報２１が入力される。また、キー入力部１は、キーロック機能を含む各種機能を操作するためにも用いられる。
【００１４】
記憶部２は、キー入力部１から入力された情報２１を記憶する。
【００１５】
表示部３は、キー入力部１から入力された情報２１等を表示する。表示部３は、例えば、液晶表示装置や有機ＥＬ（electroluminescence）表示装置などの表示装置である。
【００１６】
制御部４は、これら各部の動作を制御する。また、制御部４は、ユーザーによってキーロック機能が設定されると、キーロック機能を実行してキー入力部１のキー操作を無効にする。そして、制御部４は、キーロック機能が実行されているときに、記憶部２に記憶されている情報２１を表示部３に表示させる。制御部４は、ＣＰＵ（Central Processing Unit）等の制御装置であり、プログラムにより動作が制御される。
【００１７】
このように、本実施の形態にかかる携帯電話機１００は、キー操作を無効とするキーロック機能を備える携帯電話機１００であって、情報を入力するためのキー入力部１と、入力された情報２１を表示する表示部３と、入力された情報２１を記憶する記憶部２と、キーロック機能が実行されているときに、記憶部２に記憶されている情報２１を表示部３に表示させる制御部４と、を有する。
【００１８】
続いて、本実施の形態にかかる携帯電話機１００の動作について、図２を用いて説明する。図２は、本実施の形態に係る携帯電話機１００の動作を示すフローチャートである。
【００１９】
図２に示すように、まず、ユーザーが携帯電話機１００のキー入力部１を操作し、キーロック機能が実行されているときに表示部３へ表示させる情報２１を構成する文字や数字等を入力する（ＳＴ２０１）。制御部４は、キー入力部１から入力された文字や数字等を情報２１として記憶部２に格納し、この入力された情報２１を記憶部２が記憶する（ＳＴ２０２）。
【００２０】
次に、ユーザーがキーロック機能を設定する（ＳＴ２０３）と、制御部４は、キーロック機能を実行する。具体的には、制御部４は、キー入力部１のキー操作を無効にさせて、携帯電話機１００をキーロック状態にさせる。また、制御部４は、キーロック機能が実行されているときに、記憶した情報２１を表示部３に表示する（ＳＴ２０４）。具体的には、制御部４は、記憶部２に記憶されている情報２１を記憶部２から読み出して、読み出した情報２１を表示部３に表示させる。
【００２１】
ここで、キー入力部１から入力する情報２１の内容は、ユーザーが任意に選択できるものとする。また、入力された情報２１は、ユーザーが、適宜、編集できるものとする。これにより、キーロック機能が実行されているときに表示部３へ表示させる情報２１をユーザーが選択することができる。
【００２２】
このように、本実施の形態にかかる携帯電話機１００の制御方法は、入力された情報２１を記憶し、記憶した情報２１を、キーロック機能が実行されているときに、携帯電話機１００の表示部３に表示するものである。これにより、キーロック機能が実行されているときにユーザーの希望する情報２１を表示部３へ表示させることができる。
【００２３】
また、本実施の形態にかかるプログラムは、キー操作を無効とするキーロック機能を備える携帯電話機１００に、入力された情報２１を記憶させる処理と、記憶された情報２１を、キーロック機能が実行されているときに、携帯電話機１００の表示部３に表示させる処理と、を実行させるものである。これにより、キーロック機能が実行されているときにユーザーの希望する情報２１を表示部３へ表示させることができる。
【００２４】
キーロック機能が実行されているときに表示部３へ表示させる情報２１は、例えば、ユーザーの氏名や、キーロック状態を解除するための暗証番号を想起させる文字列とすることができる。
【００２５】
キーロック状態の画面表示情報２１としてユーザーの氏名を表示させることにより、知人がユーザーの携帯電話機１００を拾ったり見つけたりした時に、誰の携帯電話機かを直ぐに知ることができる。また、キーロック状態の画面表示情報２１としてキーロック状態を解除するための暗証番号を想起させる文字列を表示させることにより、ユーザーが暗証番号を忘れた時でも思い出すことができる。
【００２６】
なお、上記説明では、キーロック状態における画面表示情報として、１つの情報２１が設定可能である場合について例示的に説明を行ったが、複数の情報２１を設定可能としてもよい。図３は、本実施の形態の別の実施例に係る携帯電話機１００の構成を示すブロック図である。図３に示すように、複数の情報２１を設定可能とする場合、制御部４が、キー入力部１から入力された複数の情報２１をそれぞれ記憶部２に格納する。記憶部２は入力された情報２１を複数記憶する。例えば、ｎ個の情報２１を設定可能とする場合、複数の情報２１のそれぞれを、情報２１ａ、２１ｂ、２１ｃ・・・２１ｎといったように記憶する。そして、制御部４が、記憶部２に記憶されている複数の情報２１のうち、選択された任意の情報を表示部３に表示させるようにしてもよい。
【００２７】
また、表示部３に、これら複数の情報２１を順次表示させたり、ランダムに表示させるようにしてもよい。複数の情報２１をランダム表示させることにより、おみくじのように画面表示を楽しむことが可能である。
【００２８】
このように、キーロック状態における画面表示情報として複数の情報２１を設定可能とすることによって、キーロック機能が実行されているときに表示部３へ表示させる情報２１を、ユーザーは適宜自分で編集、選択することができる。入力される情報２１は、ユーザーの氏名、及びキーロック機能を解除するための暗証番号を想起させる文字列のうちの少なくとも１つ以上を含むことが好ましい。
【００２９】
以上のように、本実施の形態にかかる携帯電話機１００は、入力された情報２１を記憶し、記憶した情報２１を、キーロック機能が実行されているときに、携帯電話機１００の表示部３に表示する。これにより、キーロック機能が実行されているときにユーザーの希望する情報２１を表示部３へ表示させることができる。
【００３０】
なお、本発明は上記実施の形態に限られたものではなく、趣旨を逸脱しない範囲で適宜変更することが可能である。例えば、上記実施の形態では、本発明にかかる携帯通信端末が携帯電話機１００であるとして例示的に説明をしたが、ＰＨＳ（Personal Handyphone System）、ＰＤＡ（Personal Digital Assistance）などの他の携帯通信端末であってもよい。
【符号の説明】
【００３１】
１  キー入力部、
２  記憶部、
３  表示部、
４  制御部、
２１、２１ａ、２１ｂ、２１ｃ、２１ｎ  情報、
１００  携帯電話機
【図１】
2010187228.tif 000003
【図２】
2010187228.tif 000004
【図３】
2010187228.tif 000005